(57)【要約】【課題】ディスクの挿入・排出時に、ディスクの移動位置を正確にガイドすることで対物レンズへの接触を防止して装置の薄型化を更に図ることができるスロットイン型ディスク装置を提供すること。【解決手段】本発明のスロットイン型ディスク装置は、ベース本体１０と蓋体とからシャーシ外装を構成し、シャーシ外装のフロント面にディスクを直接挿入するディスク挿入口１１を形成し、ベース本体１０のフロント面側にはトラバースベース３０が配置され、トラバースベース３０に保持されるピックアップ３２がスタンバイ時にはベース本体１０の外周側に配置され、トラバースベース３０には、トラバースベースカバー３０Ａが設けられ、トラバースベースカバー３０Ａの外周側上面に保護カバー３０Ｂを設け、保護カバー３０Ｂを、トラバースベース３０上へのディスクの装着時にはディスクと重ならない位置に配置し、保護カバー３０Ｂを蓋体側に変位させる変位手段３０Ｄを設けたことを特徴とする。【選択図】        図１
2008071458.tif 000002
【特許請求の範囲】
【請求項１】
ベース本体と蓋体とからシャーシ外装を構成し、
前記シャーシ外装のフロント面にディスクを直接挿入するディスク挿入口を形成し、
前記ベース本体のフロント面側にはトラバースベースが配置され、
前記トラバースベースに保持されるピックアップがスタンバイ時には前記ベース本体の外周側に配置され、
前記トラバースベースには、トラバースベースカバーが設けられ、
前記トラバースベースカバーの外周側上面に保護カバーを設けたスロットイン型ディスク装置であって、
前記保護カバーを、前記トラバースベース上への前記ディスクの装着時には前記ディスクと重ならない位置に配置し、前記保護カバーを前記蓋体側に変位させる変位手段を設けたことを特徴とするスロットイン型ディスク装置。
【請求項２】
前記変位手段を、前記トラバースベースカバーと前記保護カバーとの間に設けた与圧ばねとしたことを特徴とする請求項１に記載のスロットイン型ディスク装置。
【請求項３】
前記変位手段を、前記トラバースベースの動作とリンクして移動するスライダーとしたことを特徴とする請求項１に記載のスロットイン型ディスク装置。
【請求項４】
前記変位手段を、前記保護カバー自体の弾性変形としたことを特徴とする請求項１に記載のスロットイン型ディスク装置。
【発明の詳細な説明】
【技術分野】
【０００１】
本発明は、ＣＤやＤＶＤなどのディスク状の記録媒体への記録、または再生を行うディスク装置に関し、特に外部からディスクを直接挿入し、または直接排出できるスロットイン型ディスク装置に関する。
【背景技術】
【０００２】
従来のディスク装置は、トレイまたはターンテーブル上にディスクを載置し、このトレイやターンテーブルを装置本体内に装着するローディング方式が多く採用されているが、このようなローディング方式では、トレイやターンテーブルが必要な分、ディスク装置本体を薄型化するには限度があった。このため、最近では、ローディングモータによりレバー等でディスクを直接操作するスロットイン型ディスク装置が存在する（例えば特許文献１）。
【特許文献１】特開２００２−３５２４９８号公報
【発明の開示】
【発明が解決しようとする課題】
【０００３】
しかし、レバー等でディスクを直接操作するスロットイン型ディスク装置であっても、更に装置の薄型化を図るためには、ディスクの挿入・排出時にピックアップの対物レンズにディスクが接触しないように、適切にディスクをガイドしなければならない。
【０００４】
そこで本発明は、ディスクの挿入・排出時に、ディスクの移動位置を正確にガイドすることで対物レンズへの接触を防止して装置の薄型化を更に図ることができるスロットイン型ディスク装置を提供することを目的とする。
【課題を解決するための手段】
【０００５】
請求項１記載の本発明のスロットイン型ディスク装置は、ベース本体と蓋体とからシャーシ外装を構成し、前記シャーシ外装のフロント面にディスクを直接挿入するディスク挿入口を形成し、前記ベース本体のフロント面側にはトラバースベースが配置され、前記トラバースベースに保持されるピックアップがスタンバイ時には前記ベース本体の外周側に配置され、前記トラバースベースには、トラバースベースカバーが設けられ、前記トラバースベースカバーの外周側上面に保護カバーを設けたスロットイン型ディスク装置であって、前記保護カバーを、前記トラバースベース上への前記ディスクの装着時には前記ディスクと重ならない位置に配置し、前記保護カバーを前記蓋体側に変位させる変位手段を設けたことを特徴とする。
請求項２記載の本発明は、請求項１に記載のスロットイン型ディスク装置において、前記変位手段を、前記トラバースベースカバーと前記保護カバーとの間に設けた与圧ばねとしたことを特徴とする。
請求項３記載の本発明は、請求項１に記載のスロットイン型ディスク装置において、前記変位手段を、前記トラバースベースの動作とリンクして移動するスライダーとしたことを特徴とする。
請求項４記載の本発明は、請求項１に記載のスロットイン型ディスク装置において、前記変位手段を、前記保護カバー自体の弾性変形としたことを特徴とする。
【発明の効果】
【０００６】
本発明によれば、保護カバーを蓋体側に変位させることで、ピックアップとの接触を防止することができる。また、変位手段として、トラバースベースカバーと保護カバーとの間に設けた与圧ばねを用いることで、ディスク挿入時には、保護カバーによってディスクを蓋体側に規制することができるので、ディスクのピックアップへの接触を防止することができるとともに、ディスク装着後には、保護カバーが蓋体側に付勢されるので、ピックアップの保護カバーへの接触を防止でき、またディスクの回転時には、ディスクの回転によって発生する風をピックアップに効率よく送ることで冷却を行うことができる。
【発明を実施するための最良の形態】
【０００７】
本発明の第１の実施の形態によるスロットイン型ディスク装置は、保護カバーを、トラバースベース上へのディスクの装着時にはディスクと重ならない位置に配置し、保護カバーを蓋体側に変位させる変位手段を設けたものである。本実施の形態によれば、保護カバーを蓋体側に変位させることで、ピックアップとの接触を防止することができる。
本発明の第２の実施の形態は、第１の実施の形態によるスロットイン型ディスク装置において、変位手段を、トラバースベースカバーと保護カバーとの間に設けた与圧ばねとしたものである。本実施の形態によれば、ディスク挿入時には、保護カバーによってディスクを蓋体側に規制することができるので、ディスクのピックアップへの接触を防止することができるとともに、ディスク装着後には、保護カバーが蓋体側に付勢されるので、ピックアップの保護カバーへの接触を防止でき、またディスクの回転時には、ディスクの回転によって発生する風をピックアップに効率よく送ることで冷却を行うことができる。
本発明の第３の実施の形態は、第１の実施の形態によるスロットイン型ディスク装置において、変位手段を、トラバースベースの動作とリンクして移動するスライダーとしたものである。本実施の形態によれば、ディスク装着後には、保護カバーが蓋体側に付勢されるので、ピックアップの保護カバーへの接触を防止でき、またディスクの回転時には、ディスクの回転によって発生する風をピックアップに効率よく送ることで冷却を行うことができる。
本発明の第４の実施の形態は、第１の実施の形態によるスロットイン型ディスク装置において、変位手段を、保護カバー自体の弾性変形としたものである。本実施の形態によれば、ディスク挿入時には、保護カバーによってディスクを蓋体側に規制することができるので、ディスクのピックアップへの接触を防止することができるとともに、ディスク装着後には、保護カバーが蓋体側に付勢されるので、ピックアップの保護カバーへの接触を防止でき、またディスクの回転時には、ディスクの回転によって発生する風をピックアップに効率よく送ることで冷却を行うことができる。
【実施例１】
【０００８】
以下本発明の一実施例によるディスク装置について説明する。
図１は本実施例によるディスク装置のベース本体の平面図、図２はディスク挿入前の状態を示す要部側断面、図３はディスク挿入状態を示す要部側断面図である。
本実施例によるディスク装置は、ベース本体と蓋体とからシャーシ外装が構成され、このシャーシ外装のフロント面にベゼルが装着される。また本実施例によるディスク装置は、ベゼルに設けたディスク挿入口からディスクを直接挿入するスロットイン型ディスク装置である。
図１に示すように、ディスクへの記録再生機能やディスクのローディング機能を行う各部品は、ベース本体１０に装着される。
ベース本体１０は、深底部１０Ａと浅底部１０Ｂが形成され、浅底部１０Ｂによってフロント面からリア面に至るウイング部が形成されている。
ベース本体１０のフロント側にはディスクを直接挿入するディスク挿入口１１を形成し、ベース本体１０のリア面の端部にはコネクタ１２を配設している。ベース本体１０のディスク挿入口１１側にはトラバースベース３０が配置され、ベース本体１０のコネクタ１２側にはリアベース１３が配置されている。トラバースベース３０とリアベース１３とは互いが重ならないように配置されている。リアベース１３のベース本体１０面側にはプリント基板１４が設けられている。
【０００９】
トラバースベース３０は、スピンドルモータ３１とピックアップ３２とピックアップ３２を移動させる駆動手段３３とを保持している。スピンドルモータ３１はトラバースベース３０の一端側に設けられ、ピックアップ３２はトラバースベース３０の一端側から他端側までを移動可能に設けられている。またピックアップ３２はスタンバイ時にはトラバースベース３０の他端側、すなわちベース本体１０の外周側に配置される。
トラバースベース３０において、スピンドルモータ３１がベース本体１０の中央部に位置し、またピックアップ３２の往復移動範囲がスピンドルモータ３１よりもディスク挿入口１１側に位置し、またピックアップ３２の往復移動方向がディスクの挿入方向と異なるように配設されている。ここで、ピックアップ３２の往復移動方向とディスクの挿入方向とは、４０〜４５度の角度としている。
トラバースベース３０は、一対のインシュレータ３４Ａ、３４Ｂによってベース本体１０に支持されている。また、トラバースベース３０の蓋体側にはトラバースベースカバー３０Ａが設けられている。そして、トラバースベースカバー３０Ａの外周側上面には保護カバー３０Ｂを設けている。
【００１０】
ピックアップ３２には、対物レンズ３２Ａと、アクチュエータを覆うＡＣＴカバー３２Ｂとが設けられている。
ここで、保護カバー３０Ｂは、ＡＣＴカバー３２Ｂの上方にも延出させ、対物レンズ３２Ａの位置よりもディスク挿入口側にも配置している。また、保護カバー３０Ｂの少なくとも上面はフェルト材によって構成するか、ウレタンフッ素コーティングを施している。なお、コーティング材として、ビーズ径が２０ミクロンのウレタン樹脂に、ウレタン樹脂に対する配合比が５％のフッ素と、ウレタン樹脂に対する配合比が１．０〜１．５％のシリコンとを配合したウレタンビーズ配合のフッ素系コーティングを塗布してもよい。コーティング材の摩擦係数は、０．２〜０．６が好ましく、０．５５以下がより好ましい。
ＡＣＴカバー３２Ｂの上方で対物レンズ３２Ａの位置よりもディスク挿入口側にも保護カバー３０Ｂを設けることで、ディスク挿入時にディスクとピックアップ３２が干渉することを防ぐことができる。
特にＡＣＴカバー３２Ｂ上の保護カバー３０Ｂは、装置内における高さが高くなるため、ディスク挿入時にディスクとこすれて傷つけてしまう可能性がある。そのため、フェルトやコーティングを行い、ディスクに傷つかないようにすることが好ましい。
なお、保護カバー３０Ｂは、ディスクの装着時にはディスクと重ならない位置に配置している。また、保護カバー３０Ｂは、フロント側には保護カバー軸３０Ｃが設けられ、リア側には与圧ばね（変位手段）３０Ｄが設けられている。与圧ばね３０Ｄは、保護カバー３０Ｂのトラバースベースカバー３０Ａ側に設けられており、保護カバー３０Ｂを蓋体側に常に付勢している。
【００１１】
一対のインシュレータ３４Ａ、３４Ｂは、スピンドルモータ３１の位置よりもピックアップ３２の静止位置側に配設している。本実施例では、インシュレータ３４Ａはディスク挿入口１１の内側近傍の一端側に、インシュレータ３４Ｂはディスク挿入口１１の内側近傍の中央部に設けている。インシュレータ３４Ａ、３４Ｂは、弾性材料からなるダンパー機構を備えている。トラバースベース３０は、インシュレータ３４Ａ、３４Ｂを支点として、スピンドルモータ３１側をベース本体１０と近接離間させるように動作する。
【００１２】
以下に、カム機構を備えたメインスライダー４０とサブスライダー５０について説明する。トラバースベース３０を変位させるカム機構は、メインスライダー４０とサブスライダー５０にそれぞれ設けている。ここで、メインスライダー４０とサブスライダー５０とは、スピンドルモータ３１の側方に位置するように配設されている。メインスライダー４０は、その一端がシャーシ本体１０のフロント面側、その他端がシャーシ本体１０のリア面側となる方向に配設されている。また、サブスライダー５０は、トラバースベース３０とリアベース１３との間に、メインスライダー４０と直交する方向に配設されている。
トラバースベース３０を変位させるカム機構は、第１のカム機構４１と第２のカム機構５１によって構成される。第１のカム機構４１は、メインスライダー４０のスピンドルモータ３１側の面に、第２のカム機構５１は、サブスライダー５０のスピンドルモータ３１側の面にそれぞれ設けられている。
なお、メインスライダー４０とトラバースベース３０との間にはベース部材１５が設けられ、サブスライダー５０とトラバースベース３０との間にはベース部材１６が設けられている。ここでベース部材１５とベース部材１６はベース本体１０に固定され、ベース部材１５に設けた縦溝によってトラバースベース３０のカムピンを位置規制し、ベース部材１６に設けた縦溝によってトラバースベース３０のカムピンを位置規制している。
【００１３】
ここで、ベース部材１６とサブスライダー５０とは、第３のカム機構（図示せず）によって連結している。そしてこの第３のカム機構は、第２のカム機構５１によってトラバースベース３０をベース本体１０に対して離間する方向に移動させる時に、サブスライダー５０をベース本体１０に対して離間する方向に移動させる機能を備えている。
【００１４】
メインスライダー４０の一端側にはローディングモータ６０が配設されている。ローディングモータ６０の駆動軸とメインスライダー４０の一端側とは歯車機構を介して連結されている。
このローディングモータ６０の駆動によってメインスライダー４０を長手方向に摺動させることができる。またメインスライダー４０は、カムレバー７０によってサブスライダー５０と連結している。
カムレバー７０は、回動支点７１、ピン７２、ピン７３、及びピン７４を有している。ピン７２、７３はメインスライダー４０の上面に設けたカム溝と係合し、ピン７４はサブスライダー５０の上面に設けたカム溝と係合し、カムレバー７０は、回動支点７１を軸として回動する。
【００１５】
以上説明した、コネクタ１２、トラバースベース３０、リアベース１３、プリント基板１４、インシュレータ３４Ａ、３４Ｂ、メインスライダー４０、サブスライダー５０、及びローディングモータ６０は、ベース本体１０の深底部１０Ａに設けられ、これらの部材と蓋体との間に、ディスク挿入空間を形成する。
【００１６】
次に、ディスクを挿入するときにディスクを支持するガイド部材と、ディスクを挿入するときに動作するレバー部材について説明する。
深底部１０Ａのディスク挿入口１１近傍の一端側には、所定長さの第１のディスクガイド１７が設けられている。この第１のディスクガイド１７は、ディスク挿入側から見た断面が、「コ」の字状の溝を有している。この溝によってディスクは支持される。
一方、ディスク挿入口１１側の浅底部１０Ｂには、引き込みレバー８０が設けられ、この引き込みレバー８０の可動側端部に第２のディスクガイド８１を備えている。第２のディスクガイド８１は、円筒状のローラで構成され、引き込みレバー８０の可動側端部に回動自在に設けられている。また、第２のディスクガイド８１のローラ外周には溝が形成され、この溝によってディスクは支持される。
引き込みレバー８０は、可動側端部が固定側端部よりもディスク挿入口１１側で動作するように配置され、固定側端部に回動支点を有している。
【００１７】
引き込みレバー８０は、サブレバー９０によって動作する。
サブレバー９０は、可動側の一端に凸部を備え、他端側に回動支点９２を備えている。サブレバー９０の凸部は、引き込みレバー８０の長溝内を摺動する。また、サブレバー９０の回動支点９２は、メインスライダー４０上に位置している。なお、回動支点９２は、メインスライダー４０とは連動せず、ベース本体１０に固定されている。またサブレバー９０の回動支点９２よりも凸部側の下面には、ピン９３を備えている。このピン９３は、メインスライダー４０の上面に設けられたカム溝内を摺動する。従って、サブレバー９０は、メインスライダー４０の移動にともなって角度が変更され、このサブレバー９０の角度の変更によって引き込みレバー８０の旋回角度を変更する。すなわち、サブレバー９０の動作によって、引き込みレバー８０の第２のディスクガイド８１がスピンドルモータ３１に近接離間するように動作する。
また、ベース本体１０のフロント側には、フロントガイダー２１が設けられている。フロントガイダー２１は、ディスク挿入口１１の一端側であって、引き込みレバー８０とディスク挿入口１１との間に配置されている。またこのフロントガイダー２１は、ローディングモータ６０や歯車機構、メインスライダー４０の一部を覆うように、これらの部材よりも蓋体側に設けられている。
【００１８】
以下にカムレバー７０の動作について説明する。
ピン７３がメインスライダー４０のカム溝と係合している間は、カムレバー７０は回動しない。この状態はスタンバイ状態である。ディスクがローディングされた後にもしばらくはこの状態であり、トラバースベース３０はベース本体１０に近接した状態にある。
ディスクの中心がスピンドルモータ３１の上方に位置した時点で、ピン７３はメインスライダー４０のカム溝から外れ、カムレバー７０は回動を始める。
メインスライダー４０は、カムレバー７０のピン７２が摺動する溝を有し、カムレバー７０の動作によって第１のカム機構４１をメインスライダー４０と同一の方向に移動させる。カムレバー７０の回動によって、サブスライダー５０を移動させ、サブスライダー５０を移動させることによって第２のカム機構５１を動作させる。
すなわち、カムレバー７０の回動によって、第１のカム機構４１及び第２のカム機構５１は、所定距離だけ移動し、トラバースベース３０が変位動作する。
そしてチャッキング動作が終了した時点で、カムレバー７０の回動は終了する。
【００１９】
次に、保護カバー３０Ｂの機能について説明する。
ディスクが挿入される前の状態では、図２に示すように、保護カバー３０Ｂは与圧ばね３０Ｄによって蓋体側に付勢されている。
この状態で、ディスクがディスク挿入口１１から挿入されると、ディスクによって保護カバー３０Ｂはベース本体１０側に押されるが、ディスクは保護カバー３０Ｂによって蓋体側に押圧される。従って、ディスクがピックアップ３２に接触することを防止することができる。
ディスクが所定の位置まで引き込まれると、保護カバー３０Ｂは再び与圧ばね３０Ｄによって蓋体側に付勢される。保護カバー３０Ｂは、ディスクの回転時にも同位置に保持される。従って、ディスク装置の記録、再生時には、ピックアップ３２が外周位置に移動しても、ピックアップ３２が保護カバー３０Ｂに接触することはない。また、ディスク装置の記録、再生時には、ディスクの回転によって生じる風をピックアップ３２に効率よく送ることでピックアップ３２を冷却することができる。
なお、本実施例では、変位手段として、保護カバー３０Ｂのトラバースベースカバー３０Ａ側に与圧ばね３０Ｄを設けたもので説明したが、与圧ばね３０Ｄを用いることなく、保護カバー３０Ｂ自体の弾性変形によって、保護カバー３０Ｂのリア側を蓋体側に常に付勢する構成であってもよい。
【実施例２】
【００２０】
図４から図７は他の実施例によるディスク装置を示し、図４は同ディスク装置のディスク挿入前の状態を示すベース本体の平面図、図５は同状態の要部側断面図、図６は同ディスク装置のディスク装着状態を示すベース本体の平面図、図７は同状態の要部側断面図である。なお、上記実施例と同一部材には同一符号を付して説明を省略する。
本実施例は、変位手段としてスライダー５５を用いたものである。スライダー５５は、メインスライダー４０とリンクレバー５６を介して連結されている。そして、図４に示すように、待機状態ではスライダー５５はリア側に配置されており、ディスク装着時には、フロント側に配置されるように移動する。
一方、本実施例においても、保護カバー３０Ｂは、ディスクの装着時にはディスクと重ならない位置に配置している。また、保護カバー３０Ｂは、フロント側には保護カバー軸３０Ｃが設けられ、リア側にはレバー部３０Ｅが設けられている。レバー部３０Ｅは、保護カバー３０Ｂのトラバースベースカバー３０Ａ側に設けられており、スライダー５５がフロント側に移動すると、スライダー５５によって保護カバー３０Ｂは蓋体側に変位する。
【００２１】
次に、保護カバー３０Ｂの機能について説明する。
ディスクが挿入される前の状態では、図５に示すように、保護カバー３０Ｂはトラバースベースカバー３０Ａ側に配置されている。
ディスクがスピンドルモータ３１上に装着されると、スライダー５５はフロント側に移動して、レバー部３０Ｅを蓋体側に変位させるため、保護カバー３０Ｂも蓋体側に変位する。保護カバー３０Ｂは、ディスクの回転時にも同位置に保持される。従って、ディスク装置の記録、再生時には、ピックアップ３２が外周位置に移動しても、ピックアップ３２が保護カバー３０Ｂに接触することはない。また、ディスク装置の記録、再生時には、ディスクの回転によって生じる風をピックアップ３２に効率よく送ることでピックアップ３２を冷却することができる。
【産業上の利用可能性】
【００２２】
本発明は、ＣＤ、ＤＶＤ等のディスク状記録媒体の記録または再生を行うディスク装置において、特に家庭用映像機器やコンピュータの周辺装置として用いられる薄型化の必要なディスク装置に利用できる。 
【図面の簡単な説明】
【００２３】
【図１】本実施例によるディスク装置のベース本体の平面図
【図２】ディスク挿入前の状態を示す要部側断面
【図３】ディスク挿入状態を示す要部側断面図
【図４】他の実施例によるディスク装置のディスク挿入前の状態を示すベース本体の平面図
【図５】同状態の要部側断面図
【図６】同ディスク装置のディスク装着状態を示すベース本体の平面図
【図７】同状態の要部側断面図
【符号の説明】
【００２４】
１０    ベース本体
１１    ディスク挿入口
１３    リアベース
３０    トラバースベース
３０Ａ  トラバースベースカバー
３０Ｂ  保護カバー
３０Ｄ  変位手段（与圧ばね）
３０Ｅ  レバー部
３２    ピックアップ
５５    変位手段（スライダー）
【図１】
2008071458.tif 000003
【図２】
2008071458.tif 000004
【図３】
2008071458.tif 000005
【図４】
2008071458.tif 000006
【図５】
2008071458.tif 000007
【図６】
2008071458.tif 000008
【図７】
2008071458.tif 000009